(57)【特許請求の範囲】
【請求項１】
ＴＲＵ廃棄体を収納した収納容器を複数格納するＴＲＵ廃棄体格納容器において、
上部に開口部を備え、この開口部から前記収納容器を搬入し、内部に所定数の前記収納容器を格納する格納部と、
その一部が厚み方向に貫通するようにモルタルで置き換えられ、前記格納部に所定数の収納容器が格納された場合には、前記開口部を塞ぐ上蓋と、
前記上蓋を前記格納部に固定する固定手段と
を備えたＴＲＵ廃棄体格納容器。
【請求項２】
ＴＲＵ廃棄体を収納した収納容器を複数格納するＴＲＵ廃棄体格納容器において、
上部に開口部を備え、この開口部から前記収納容器を搬入し、内部に所定数の前記収納容器を格納する箱型形状の格納部と、
その一部が厚み方向に貫通するようにモルタルで置き換えられ、前記格納部に所定数の収納容器が格納された場合には、前記開口部を塞ぐ上蓋と、
前記格納部の開口部近傍に備えられ、前記上蓋が前記開口部を塞ぐように前記上蓋を保持する保持部と、
前記保持部に保持された上蓋を、前記格納部に固定する固定手段と
を備えたＴＲＵ廃棄体格納容器。
【請求項３】
ＴＲＵ廃棄体を収納した収納容器を複数格納するＴＲＵ廃棄体格納容器において、
開口部を備えた格納部の内部に、この開口部から前記収納容器を搬入し、前記格納部に所定数の前記収納容器を搬入した場合には、前記格納部の内部をモルタルで充填し、しかる後に前記開口部を、その一部が厚み方向に貫通するようにモルタルで置き換えられた上蓋で塞ぎ、更にこの上蓋を前記ＴＲＵ廃棄体格納容器本体に固定するようにしたＴＲＵ廃棄体格納容器。
【発明の詳細な説明】
【０００１】
【発明の属する技術分野】
本発明は、原子力発電所や原子燃料再処理工場などの原子力施設から払い出されるＴＲＵ（超ウラン元素）廃棄体を収納したドラム缶やキャニスタ等の収納容器を、複数まとめて長期間格納するＴＲＵ廃棄体格納容器に関するものである。
【０００２】
【従来の技術】
原子力発電所や原子燃料再処理工場などの原子力施設から払い出されるＴＲＵ（超ウラン元素）は、ドラム缶やキャニスタといった専用の収納容器に収納され、更にこの収納容器が複数体まとめられてＴＲＵ廃棄体格納容器に長期間（約６０年間）安定な状態で格納されることが計画されている。
【０００３】
図１０（ａ）は、この種のＴＲＵ廃棄体格納容器６０に所定体数のドラム缶６１が格納されている状態を、また図１０（ｂ）は、同ＴＲＵ廃棄体格納容器６０に所定体数のキャニスタ６２が格納されている状態を示す鳥瞰図である。
【０００４】
図１０（ａ）および図１０（ｂ）に示すように、箱型形状によってなるＴＲＵ廃棄体格納容器６０にドラム缶６１およびキャニスタ６２が所定体数格納されると、モルタル６３によってＴＲＵ廃棄体格納容器６０の内部が充填される。このようにモルタル６３が充填されることによって内部に格納しているドラム缶６１およびキャニスタ６２の安定化が図られる。
【０００５】
一方、モルタル６３は、水分を通さず、気体を通す性質を有している。ＴＲＵ廃棄体格納容器６０は、専用の地下貯蔵施設に多数貯蔵されることが計画されている。約６０年という長期間の間には、地下貯蔵施設に地下水が侵入する可能性もあるが、このようにＴＲＵ廃棄体格納容器６０の内部をモルタル６３で充填することによって、地下水がＴＲＵ廃棄体格納容器６０の内部へ侵入しないので、放射性物質の地下水による拡散が阻止されている。また、ＴＲＵ廃棄体からは崩壊熱が発せられるので、ドラム缶６１およびキャニスタ６２は発熱するが、上述したようにモルタル６３が気体を通すことができるので、モルタル６３内部を通過する気体が冷却ガスとなりドラム缶６１およびキャニスタ６２が冷却される。
【０００６】
ＴＲＵ廃棄体格納容器６０の内部がモルタル６３によって充填されると、次に、上蓋６４によって開口部が被されるとともに、上蓋６４と開口部との隙間にはモルタル６５が埋め込まれる。そして、ＴＲＵ廃棄体格納容器６０の上縁部４隅に設けられたハンドリングフック６６に図示しない吊り具が取り付けられ、この吊り具をクレーン等によって吊り上げることによって、ＴＲＵ廃棄体格納容器６０が所定の貯蔵場所に移送されている。
【０００７】
【発明が解決しようとする課題】
しかしながら、このような従来のＴＲＵ廃棄体格納容器では、以下のような問題がある。
【０００８】
すなわち、ＴＲＵ廃棄体格納容器６０は、クレーン等によって吊り上げられて所定の貯蔵場所まで移送されている。しかしながら、上蓋６４は、専用の固定手段によって固定されている訳でもなく、上蓋６４と開口部との隙間に埋め込まれたモルタル６５によってＴＲＵ廃棄体格納容器６０に不安定な状態で固定されているにすぎない。
【０００９】
したがって、吊り上げ移送中に、万が一、落下するようなことになると、上蓋６４がＴＲＵ廃棄体格納容器６０から外れ、さらに内部に格納しているドラム缶６１およびキャニスタ６２といった収納容器が飛び出すようなことが起きると、この衝撃によって収納容器が破損する可能性がある。
【００１０】
ドラム缶６１およびキャニスタ６２といった収納容器は、ＴＲＵ廃棄体を長期間安全な状態で収納するためのものであるから、破損によって安全性が低下する可能性があるという問題がある。
【００１１】
本発明はこのような事情に鑑みてなされたものであり、専用の固定手段を用いて上蓋をＴＲＵ廃棄体格納容器自体に固定することによって、万が一、移送中に落下するようなことがあっても、内部に収納している収納容器の飛び出しを阻止し、もって、収納容器の破損を阻止することが可能なＴＲＵ廃棄体格納容器を提供することを目的とする。
【００１２】
【課題を解決するための手段】
上記の目的を達成するために、本発明では、以下のような手段を講じる。
【００１３】
すなわち、請求項１の発明は、ＴＲＵ廃棄体を収納した収納容器を複数格納するＴＲＵ廃棄体格納容器において、上部に開口部を備え、この開口部から収納容器を搬入し、内部に所定数の収納容器を格納する格納部と、その一部が厚み方向に貫通するようにモルタルで置き換えられ、格納部に所定数の収納容器が格納された場合には、開口部を塞ぐ上蓋と、上蓋を格納部に固定する固定手段とを備えている。
【００１５】
請求項２の発明は、ＴＲＵ廃棄体を収納した収納容器を複数格納するＴＲＵ廃棄体格納容器において、上部に開口部を備え、この開口部から収納容器を搬入し、内部に所定数の収納容器を格納する箱型形状の格納部と、その一部が厚み方向に貫通するようにモルタルで置き換えられ、格納部に所定数の収納容器が格納された場合には、開口部を塞ぐ上蓋と、格納部の開口部近傍に備えられ、上蓋が開口部を塞ぐように上蓋を保持する保持部と、
保持部に保持された上蓋を、格納部に固定する固定手段とを備える。
【００１６】
請求項３の発明は、ＴＲＵ廃棄体を収納した収納容器を複数格納するＴＲＵ廃棄体格納容器において、開口部を備えた格納部の内部に、この開口部から収納容器を搬入し、格納部に所定数の収納容器を搬入した場合には、格納部の内部をモルタルで充填し、しかる後に開口部を、その一部が厚み方向に貫通するようにモルタルで置き換えられた上蓋で塞ぎ、更にこの上蓋をＴＲＵ廃棄体格納容器本体に固定する。
【００１７】
【発明の実施の形態】
以下に、本発明の各実施の形態、及び本発明に係り本発明者が検討した検討例について図面を参照しながら説明する。
【００１８】
（検討例）本発明に係り本発明者が検討した検討例を図１から図３を用いて説明する。
【００１９】
図１は、本検討例に係るＴＲＵ廃棄体格納容器の格納部の一例を示す斜視図、図２は、本検討例に係るＴＲＵ廃棄体格納容器の上蓋の一例を示す斜視図および立断面図、図３は、格納部に上蓋を被せる状態を説明するための模式図である。
【００２０】
すなわち、本検討例に係るＴＲＵ廃棄体格納容器１は、図３に示すように、従来技術で説明したＴＲＵ廃棄体格納容器の底面部に配筋２を埋め込んでいる。そして、この配筋２に、５本の長尺状の補強バー３の下端を固定している。すなわち、補強バー３は、図１および図３に示すように、ＴＲＵ廃棄体格納容器１の格納部４の底面に対してほぼ垂直になるように、その下端を配筋２に固定している。また補強バー３は、その上端にネジ部５を備えている。このような補強バー３は、格納部４に被せられた上蓋７を固定するものであり、材質としては例えばステンレス鋼を用いる。格納部４の上縁部４隅には、ＴＲＵ廃棄体格納容器１をクレーン等によって吊り上げるための吊り具を取り付けるためのハンドリングフック６を備えている。
【００２１】
一方、上蓋７は、図２（ａ）に示すように、格納部４に緩く嵌め合うような平板形状をしており、格納部４に被せた場合に補強バー３のネジ部５を導き入れることができるように導入穴８を穿孔している。導入穴８は、図２（ｂ）に示すように、断面Ｔ字形状をしており、穿孔径の大きな上部穴８ａと、穿孔径の小さな下部穴８ｂとからなる。
【００２２】
そして、図３（ａ）に示すように、上蓋７を、格納部４の内部に格納している複数のドラム缶６１またはキャニスタ６２間の間隙をモルタル９で充填した格納部４に被せる場合には、下部穴８ｂの下部側から補強バー３のネジ部５を上部穴８ａに導き入れる。しかる後に、図３（ｂ）に示すように、ネジ部５にボルト１０を嵌め、上部穴８ａにおいてボルト１０を締め付け、上蓋７を格納部４に充填されたモルタル９側に押し付けることによって上蓋７を固定する。ボルト１０の材質としては、例えばＳＮＣＭ材を用いる。
【００２３】
このように上蓋７を固定した後に、モルタル１１を注入することによって上部穴８ａを塞ぐとともに、モルタル１２を注入することによって上蓋７と格納部４との隙間を塞ぐ。これによって、上蓋７をＴＲＵ廃棄体格納容器１自体にしっかりと固定する。
【００２４】
なお、本検討例では、一例として５本の補強バー３を備えたＴＲＵ廃棄体格納容器を図示しているが、補強バー３の本数は５本に限るものではなく、多いほど上蓋７を固定する効果は大きくなる。しかしながら、あまり多すぎると、内部に格納するドラム缶６１またはキャニスタ６２の格納効率の低下を招くので、補強バー３の本数は、上蓋７の固定強度と、収納容器の格納効率との兼ね合いから決定する。
【００２５】
本検討例に係るＴＲＵ廃棄体格納容器１は、上述したような構成をしているので、上蓋７がＴＲＵ廃棄体格納容器１自体にしっかりと固定される。これによって、万が一、ＴＲＵ廃棄体格納容器１が、吊り上げ移送中に落下するようなことがあっても、上蓋７が外れないために、内部に格納しているドラム缶６１およびキャニスタ６２といった収納容器の破損を回避することができる。
【００２６】
また、このような補強バー３を備えた構成であっても、上蓋７と格納部４との間には、モルタル１２が充填されるので、従来技術によるＴＲＵ廃棄体格納容器と同様に、地下水がＴＲＵ廃棄体格納容器１の内部へ侵入することを阻止するとともに、気体の通過を許し、格納しているドラム缶６１およびキャニスタ６２を冷却することができる。
【００２７】
以上の結果、ＴＲＵ廃棄体の貯蔵時における安全性を高めることが可能となる。
【００２８】
（第１の実施の形態）本発明の第１の実施の形態を図４から図６を用いて説明する。
【００２９】
図４は、第１の実施の形態に係るＴＲＵ廃棄体格納容器の格納部の一例を示す斜視図、図５は、第１の実施の形態に係るＴＲＵ廃棄体格納容器の上蓋の一例を示す斜視図および立断面図、図６は、格納部に上蓋を被せる状態を説明するための模式図である。
【００３０】
すなわち、本実施の形態に係るＴＲＵ廃棄体格納容器１４は、図４および図５に示すように、従来技術で説明したＴＲＵ廃棄体格納容器の上端側に、上蓋挿入口１５を設けている。更に、この上蓋挿入口１５の両端には、図中矢印に示す上蓋挿入方向Ｆに向かってガイド溝１６を設けている。
【００３１】
一方、図５（ａ）に示すように、上蓋１７には、ガイド溝１６に緩く嵌め合うような突起部１８を備えている。また、図５（ａ）および図５（ｂ）に示すように、上蓋１７は、深さ方向に貫通して設けられた穴に、モルタルが充填されたモルタル充填部１９を４箇所設けている。
【００３２】
そして、図６（ａ）に示すように、対向するガイド溝１６に、それぞれ対応する突起部１８が嵌るようにして、上蓋１７を上蓋挿入口１５から上蓋挿入方向Ｆに沿って、上蓋１７の上蓋挿入方向Ｆ先頭側の突起部１８がガイド溝１６に嵌るまで挿入する。これによって、図６（ｂ）に示すように、格納部４の開口部を上蓋１７で塞ぐようにしている。更に、図６（ｃ）に示すように、挿入した上蓋１７の上面にモルタル２１を敷き詰めることによって、ＴＲＵ廃棄体格納容器１４の上面を平滑にするとともに、上蓋１７を格納部４に固定する。
【００３３】
本実施の形態に係るＴＲＵ廃棄体格納容器１４は、上述したような構成をしているので、上蓋１７がＴＲＵ廃棄体格納容器１４自体にしっかりと固定される。これによって、万が一、ＴＲＵ廃棄体格納容器１４が、吊り上げ移送中に落下するようなことがあっても、上蓋１７が外れないために、内部に格納しているドラム缶６１およびキャニスタ６２といった収納容器の破損を回避することができる。
【００３４】
なお、本実施の形態に係るＴＲＵ廃棄体格納容器１４では、上蓋１７が格納部４に嵌め合わされるが、上蓋１７にはモルタル充填部１９が設けられているので、第１の実施の形態で説明したように、地下水がＴＲＵ廃棄体格納容器１４の内部へ侵入することを阻止するとともに、気体の通過を許し、格納しているドラム缶６１およびキャニスタ６２を冷却することができる。
【００３５】
以上の結果、ＴＲＵ廃棄体の貯蔵時における安全性を高めることが可能となる。
【００３６】
（第２の実施の形態）本発明の第２の実施の形態を図７から図９を用いて説明する。
【００３７】
図７は、第２の実施の形態に係るＴＲＵ廃棄体格納容器の格納部の一例を示す斜視図、図８は、第２の実施の形態に係るＴＲＵ廃棄体格納容器の上蓋の一例を示す斜視図および立断面図、図９は、格納部に上蓋を被せる状態を説明するための模式図である。
【００３８】
すなわち、本実施の形態に係るＴＲＵ廃棄体格納容器２２は、図７に示すように、従来技術で説明したＴＲＵ廃棄体格納容器６０の格納部４の上縁部４隅に埋め込みボルト２３を備えている。
【００３９】
一方、上蓋２４は、図８（ａ）および図８（ｂ）に示すように、格納部４の上部開口部に緩く嵌め合うような上段部２４ａと下段部２４ｂとからなる２段型の平板形状をしており、その上段部２４ａの４隅近傍には、この上蓋２４を格納部４の上部開口部に被せた場合に埋め込みボルト２３を導き入れることができるようにボルト穴２５を穿孔している。また、ボルト穴２５よりも更に隅側には、ハンドリングフック６を備えている。更に、上蓋２４は、深さ方向に貫通して設けられた穴に、モルタルが充填されたモルタル充填部２７を４箇所設けている。
【００４０】
そして、図９（ａ）に示すように、上蓋２４を、モルタル９で充填された格納部４に被せる場合には、ボルト穴２５の下部側から埋め込みボルト２３を導き入れる。しかる後に、図９（ｂ）に示すように、各埋め込みボルト２３をナット２８で締め付け、上蓋２４を格納部４に固定する。
【００４１】
本実施の形態に係るＴＲＵ廃棄体格納容器２２は、上述したような構成をしているので、上蓋２４がＴＲＵ廃棄体格納容器２２自体にしっかりと固定される。これによって、万が一、ＴＲＵ廃棄体格納容器２２が、吊り上げ移送中に落下するようなことがあっても、上蓋２４が外れないために、内部に格納しているドラム缶６１およびキャニスタ６２といった収納容器の破損を回避することができる。
【００４２】
なお、本実施の形態に係るＴＲＵ廃棄体格納容器２２では、上蓋２４が格納部４に嵌め合わされるが、上蓋２４にはモルタル充填部２７が設けられているので、第１の実施の形態で説明したように、地下水がＴＲＵ廃棄体格納容器２２の内部へ侵入することを阻止するとともに、気体の通過を許し、格納しているドラム缶６１およびキャニスタ６２を冷却することができる。
【００４３】
以上の結果、ＴＲＵ廃棄体の貯蔵時における安全性を高めることが可能となる。
【００４４】
以上、本発明の好適な実施の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【００４５】
【発明の効果】
以上説明したように、本発明によれば、専用の固定手段を用いて上蓋をＴＲＵ廃棄体格納容器自体に固定することによって、万が一、移送中に落下するようなことがあっても、内部に収納している収納容器の飛び出しを阻止することができる。
【００４６】
以上により、収納容器の破損を阻止し、ＴＲＵを安全に貯蔵することが可能なＴＲＵ廃棄体格納容器を実現することができる。
【図面の簡単な説明】
【図１】  本発明に係り本発明者が検討した検討例のＴＲＵ廃棄体格納容器の格納部の一例を示す斜視図
【図２】  本検討例に係るＴＲＵ廃棄体格納容器の上蓋の一例を示す斜視図および立断面図
【図３】  本検討例に係るＴＲＵ廃棄体格納容器の格納部に上蓋を被せる状態を説明するための模式図
【図４】  第１の実施の形態に係るＴＲＵ廃棄体格納容器の格納部の一例を示す斜視図
【図５】  第１の実施の形態に係るＴＲＵ廃棄体格納容器の上蓋の一例を示す斜視図および立断面図
【図６】  第１の実施の形態に係るＴＲＵ廃棄体格納容器の格納部に上蓋を被せる状態を説明するための模式図
【図７】  第２の実施の形態に係るＴＲＵ廃棄体格納容器の格納部の一例を示す斜視図
【図８】  第２の実施の形態に係るＴＲＵ廃棄体格納容器の上蓋の一例を示す斜視図および立断面図
【図９】  第２の実施の形態に係るＴＲＵ廃棄体格納容器の格納部に上蓋を被せる状態を説明するための模式図
【図１０】  従来技術によるＴＲＵ廃棄体格納容器に所定体数のドラム缶およびキャニスタが格納されている状態を示す鳥瞰図
【符号の説明】
１，１４，２２，６０…ＴＲＵ廃棄体格納容器
２…配筋
３…補強バー
４…格納部
５…ネジ部
６…ハンドリングフック
７，１７，２４，６４…上蓋
８…導入穴
８ａ…上部穴
８ｂ…下部穴
９，１０，１１，２１，６３，６５…モルタル
１０…ボルト
１５…上蓋挿入口
１６…ガイド溝
１８…突起部
１９，２７…モルタル充填部
２３…埋め込みボルト
２４ａ…上段部
２４ｂ…下段部
２５…ボルト穴
２８…ナット
６１…ドラム缶
６２…キャニスタ
６６…ハンドリングフック
【図１】
0003891868.tif 000002
【図２】
0003891868.tif 000003
【図３】
0003891868.tif 000004
【図４】
0003891868.tif 000005
【図５】
0003891868.tif 000006
【図６】
0003891868.tif 000007
【図７】
0003891868.tif 000008
【図８】
0003891868.tif 000009
【図９】
0003891868.tif 000010
【図１０】
0003891868.tif 000011